(57)【要約】【課題】本発明は、異なる状況下で発生するポップノイズを除去できる電子装置を提供することを目的とする。【解決手段】本発明に係る電子装置は、第一供給電圧を出力する電源モジュールと、電子装置がオン状態とオフ状態との間で切り替えられる際、第一制御信号を出力する制御モジュールと、制御モジュールに電気的に接続され、且つ第一制御信号に応答して導通され、且つ第一供給電圧に基づいて第一電圧を生成且つ出力するスイッチモジュールと、第一電圧に基づいて第一信号を出力するオーディオ制御モジュールと、第一信号に基づいてオーディオの出力をするオーディオ出力モジュールと、スイッチモジュールに電気的に接続され、且つ電子装置が出力しているオーディオ形式を検出し、オーディオ形式が切り替えらてる際に第一制御信号をスイッチモジュールに出力する検出モジュールと、を備える。【選択図】図１
2014003603.tif 000002
【特許請求の範囲】
【請求項１】
オン状態とオフ状態との間で切り替えられる電子装置において、
第一供給電圧を出力する電源モジュールと、
前記電子装置がオン状態とオフ状態との間で切り替えられる際、第一制御信号を出力する制御モジュールと、
前記制御モジュールに電気的に接続され、且つ前記第一制御信号に応答して導通され、且つ前記第一供給電圧に基づいて第一電圧を生成且つ出力するスイッチモジュールと、
受けた前記第一電圧に基づいて第一信号を出力するオーディオ制御モジュールと、
前記第一信号に基づいてオーディオの出力が停止されるように、前記オーディオ制御モジュールによって制御されるオーディオ出力モジュールと、
前記スイッチモジュールに電気的に接続され、且つ前記電子装置が出力しているオーディオ形式を検出し、前記電子装置がオーディオ形式を切り替える際に第一制御信号を前記スイッチモジュールに出力する検出モジュールと、を備えることを特徴とする電子装置。
【請求項２】
前記電源モジュールは、第二供給電圧をさらに出力して前記オーディオ制御モジュールに供給し、
前記制御モジュールは、さらに所定の時間後、前記第一制御信号の出力を停止させると共に、第二制御信号を出力し、
前記スイッチモジュールは、前記第二制御信号に基づいて遮断され、且つ前記第一電圧の生成を停止して前記オーディオ制御モジュールに前記第一電圧を出力せず、
前記オーディオ制御モジュールは、前記第二供給電圧に基づいて第二信号を出力し、
且つ前記第二信号に基づいて前記オーディオ出力モジュールのオーディオの出力を制御することを特徴とする請求項１に記載の電子装置。
【請求項３】
前記検出モジュールは、さらに所定の時間後、前記第一制御信号の出力を停止させると共に、前記第二制御信号を出力し、
前記スイッチモジュールは、前記第二制御信号に基づいて遮断され、且つ前記第一電圧の生成を停止して前記オーディオ制御モジュールに前記第一電圧を出力せず、
前記オーディオ制御モジュールは、前記第二供給電圧に基づいて第二信号を出力し、且つ前記第二信号に基づいて前記オーディオ出力モジュールのオーディオの出力を制御することを特徴とする請求項１又は２に記載の電子装置。
【請求項４】
前記スイッチモジュールは、スイッチユニットを備え、
前記スイッチユニットの一端は、前記電源モジュールに電気的に接続され、
前記スイッチユニットの他端は、前記制御モジュール及び前記検出モジュールに電気的に接続され、
前記スイッチユニットは、トランジスタ、第一分圧抵抗及び第二分圧抵抗を備え、
前記トランジスタのベース電極は、前記第二分圧抵抗を介して前記制御モジュール及び前記検出モジュールに電気的に接続され、
前記トランジスタのエミッタ電極は、電源モジュールに電気的に接続され、
前記トランジスタのコレクター電極は、前記オーディオ制御モジュールに電気的に接続され、
前記第一分圧抵抗は、前記トランジスタのエミッタ電極とベース電極との間に電気的に接続されることを特徴とする請求項２又は３に記載の電子装置。
【請求項５】
前記スイッチモジュールは、第一干渉防止ユニットをさらに備え、
前記第一干渉防止ユニットは、前記制御モジュールと前記スイッチユニットとの間に電気的に接続されて、前記制御モジュールが生成した前記第二制御信号を前記スイッチユニットに出力することを阻止することを特徴とする請求項４に記載の電子装置。
【請求項６】
前記スイッチユニットは、第三分圧抵抗をさらに備え、
前記第一干渉防止ユニットは、第一ダイオード及び第一プルダウン抵抗を備え、
前記第三分圧抵抗の一端は、電源モジュールに電気的に接続され、
前記第三分圧抵抗の他端は、前記第一プルダウン抵抗を介して接地され、
前記第一ダイオードの陽極は、前記第二分圧抵抗に電気的に接続され、
前記第一ダイオードの陰極は、前記第三分圧抵抗と前記第一プルダウン抵抗との間に電気的に接続されると共に、前記制御モジュールに電気的に接続され、
前記第一プルダウン抵抗の一端は、前記第三分圧抵抗を介して前記電源モジュールに電気的に接続され、
前記第一プルダウン抵抗の他端は接地されることを特徴とする請求項５に記載の電子装置。
【請求項７】
前記スイッチユニットは、第二干渉防止ユニットをさらに備え、
前記検出モジュールと前記スイッチユニットとの間に電気的に接続されて、
前記検出モジュールが生成した前記第二制御信号を前記スイッチユニットに出力することを阻止することを特徴とする請求項４から６のいずれか１項に記載の電子装置。
【請求項８】
前記第二干渉防止ユニットは、第二ダイオード及び第二プルダウン抵抗を備え、
前記第二ダイオードの陽極は、前記第二分圧抵抗に電気的に接続され、
前記第二ダイオードの陰極は、前記検出モジュールに電気的に接続され、
前記第二プルダウン抵抗の一端は、前記第二ダイオードの陰極に電気的に接続され、
前記第二プルダウン抵抗の他端は接地されることを特徴とする請求項７に記載の電子装置。
【請求項９】
前記オーディオ制御モジュールは、第一スイッチングダイオード及び第二スイッチングダイオードを備え、
前記オーディオ出力モジュールは、第一オーディオ出力ユニット及び第二オーディオ出力ユニットを備え、
前記第一スイッチングダイオードと前記第二スイッチングダイオードとは、前記スイッチモジュールと前記電源モジュールとの間に並列接続され、
前記第一スイッチングダイオードの陽極及び第二スイッチングダイオードの陽極は、前記スイッチモジュールに電気的に接続され、
第一スイッチングダイオードの陰極及び第二スイッチングダイオードの陰極は、電源モジュールに電気的に接続され、
前記第一オーディオ出力ユニットは、第一スイッチングダイオードの陰極に電気的に接続され、
前記第二オーディオ出力ユニットは、前記第二スイッチングダイオードの陰極に電気的に接続されることを特徴とする請求項１から８のいずれか一項に記載の電子装置。
【請求項１０】
前記電源モジュールは、第一電圧源及び第二電圧源を備え、
前記第一電圧源は、前記スイッチモジュールに電気的に接続されて、正電圧である第一供給電圧を供給し、
前記第二電圧源は、前記オーディオ制御モジュールに電気的に接続されて、負電圧である第二供給電圧を供給することを特徴とする請求項１から９のいずれか一項に記載の電子装置。
【発明の詳細な説明】
【技術分野】
【０００１】
本発明は、電子装置に関するものである。
【背景技術】
【０００２】
通常、電子装置は、オン状態とオフ状態との間で切り替えられ、且つマイクロコントロールユニット（ＭＣＵ）及びオーディオ出力モジュールを備える。オン状態とオフ状態とを切り替える際、通常、電子装置にポップノイズ（ｐｏｐ  ｎｏｉｓｅ）が発生する。従来の技術においては、マイクロコントロールユニットを利用してオーディオ出力モジュールを制御することによって、電子装置がオン状態とオフ状態とを切り替える際のオーディオの出力を停止させて、ポップノイズの発生を防止する。
【０００３】
しかし、電子装置が異なるオーディオの形式の間で切り替えを行う際、ポップノイズが発生し、且つ相応する回路の制御もないため、視聴者はポップノイズを聞くことになる。
【発明の概要】
【発明が解決しようとする課題】
【０００４】
以上の問題点に鑑みて、本発明は、異なる状況下で発生するポップノイズを除去できる電子装置を提供することを目的とする。
【課題を解決するための手段】
【０００５】
前記課題を解決するために、本発明に係るオン状態とオフ状態との間で切り替えられる電子装置は、第一供給電圧を出力する電源モジュールと、前記電子装置がオン状態とオフ状態との間で切り替えられる際、第一制御信号を出力する制御モジュールと、前記制御モジュールに電気的に接続され、且つ前記第一制御信号に応答して導通され、且つ前記第一供給電圧に基づいて第一電圧を生成且つ出力するスイッチモジュールと、受けた前記第一電圧に基づいて第一信号を出力するオーディオ制御モジュールと、前記第一信号に基づいてオーディオの出力が停止されるように、前記オーディオ制御モジュールによって制御されるオーディオ出力モジュールと、前記スイッチモジュールに電気的に接続され、且つ前記電子装置が出力しているオーディオ形式を検出し、前記電子装置がオーディオ形式を切り替える際に第一制御信号を前記スイッチモジュールに出力する検出モジュールと、を備える。
【発明の効果】
【０００６】
本発明に係る電子装置において、制御モジュール及び検出モジュールが同時にスイッチモジュールに電気的に接続されることによって、電子装置のオン状態とオフ状態とを切り替える時又はオーディオ形式を切り替える時に、何れもオーディオ出力モジュールが制御されてオーディオの出力が停止される。これにより、電子装置のオン状態とオフ状態とを切り替える時またはオーディオ形式を切り替える時に、ポップノイズが発生することを防止することができる。
【図面の簡単な説明】
【０００７】
【図１】本発明に係る電子装置の機能ブロック図である。
【図２】本発明に係る電子装置の回路図である
【発明を実施するための形態】
【０００８】
以下、図面に基づいて、本発明に係る電子装置について詳細に説明する。
【０００９】
図１を参照すると、本発明に係る電子装置１００は、電源モジュール１０、制御モジュール２０、検出モジュール３０、スイッチモジュール４０、オーディオ制御モジュール５０及びオーディオ出力モジュール６０を備える。電子装置１００は、第一状態と第二状態との間で切り替えられる。本実施形態において、第一状態はオン状態であり、第二状態はオフ状態である。
【００１０】
電源モジュール１０は、第一供給電圧をスイッチモジュール４０に出力し、第二供給電圧をオーディオ制御モジュール５０に出力するために用いられる。本実施形態において、第一供給電圧は、正電圧（ｐｏｓｉｔｉｖｅ  ｖｏｌｔａｇｅ）であり、第二供給電圧は、負電圧（ｎｅｇａｔｉｖｅ  ｖｏｌｔａｇｅ）である。
【００１１】
制御モジュール２０は、スイッチモジュール４０に電気的に接続されて、電子装置１００の状態を測定する。電子装置１００が第一状態と第二状態との間で切り替えられる際に第一制御信号を出力し、該第一制御信号を所定の時間出力した後、その出力を停止させると共に、第二制御信号を出力する。本実施形態において、第一制御信号は低レベル電圧信号であり、第二制御信号は高レベル電圧信号である。
【００１２】
検出モジュール３０は、スイッチモジュール４０に電気的に接続されて、電子装置１００が現在出力しているオーディオ形式を検出する。電子装置１００は、オーディオ形式を切り替える際に第一制御信号を出力し、該第一制御信号を所定の時間出力した後、その出力を停止させると共に、第二制御信号を出力する。本実施形態において、第一制御信号は低レベル電圧信号であり、第二制御信号は高レベル電圧信号である。
【００１３】
スイッチモジュール４０は、電源モジュール１０とオーディオ制御モジュール５０との間に電気的に接続され、且つ第一干渉防止ユニット４１、第二干渉防止ユニット４３及びスイッチユニット４５を備える。
【００１４】
第一干渉防止ユニット４１は、制御モジュール２０とスイッチユニット４５との間に電気的に接続されて、制御モジュール２０が生成した第一制御信号をスイッチユニット４５に出力すると共に、制御モジュール２０が生成した第二制御信号をスイッチユニット４５に出力することを阻止する。
【００１５】
第二干渉防止ユニット４３は、検出モジュール３０とスイッチユニット４５との間に電気的に接続されて、検出モジュール３０が生成した第一制御信号をスイッチユニット４５に出力すると共に、検出モジュール３０が生成した第二制御信号をスイッチユニット４５に出力することを阻止する。
【００１６】
スイッチユニット４５は、第一制御信号に基づいて導通され、且つ第一供給電圧に基づいて第一電圧を生成し、その第一電圧をオーディオ制御モジュール５０に出力する。また、スイッチユニット４５は、第二制御信号に基づいて遮断され、且つ第一電圧の生成を停止してオーディオ制御モジュール５０に第一電圧を出力しない。
【００１７】
オーディオ制御モジュール５０は、受けた第一電圧に基づいて第一信号を出力し、且つ第一電圧を受けない際に、第二供給電圧に基づいて第二信号を出力する。本実施形態において、第一信号は高レベル電圧信号であり、第二信号は低レベル電圧信号である。
【００１８】
オーディオ出力モジュール６０は、第一信号に応答してオーディオの出力を停止させ、第二信号に応答してオーディオを出力するために用いられる。
【００１９】
本発明に係る電子装置１００において、制御モジュール２０及び検出モジュール３０が同時にスイッチモジュール４０に電気的に接続されることによって、電子装置１００の状態を切り替える時又はオーディオ形式を切り替える時に、何れもオーディオ出力モジュール６０は制御されてオーディオの出力が停止される。これにより、電子装置１００の状態を切り替える時又はオーディオ形式を切り替える時に、ポップノイズが発生することを防止することができる。
【００２０】
図２を参照すると、電源モジュール１０は、第一電圧源Ｖ１及び第二電圧源Ｖ２を備える。
【００２１】
制御モジュール２０は、制御チップ（Ｍｉｃｒｏ  Ｃｏｎｔｒｏｌ  Ｕｎｉｔ，ＭＣＵ）２１を備える。制御チップ２１は、スイッチモジュール４０に電気的に接続される第一ピンＰ１を備える。
【００２２】
検出モジュール３０は、検出チップ３１を備える。検出チップ３１は、スイッチモジュール４０に電気的に接続される第二ピンＰ２を備える。
【００２３】
第一干渉防止ユニット４１は、第一ダイオードＤ１及び第一プルダウン抵抗（ｐｕｌｌ  ｄｏｗｎ  ｒｅｓｉｓｔｏｒ）Ｒ４を備える。第一ダイオードＤ１の陽極は、スイッチユニット４５に電気的に接続され、第一ダイオードＤ１の陰極は、第一ピンＰ１に電気的に接続される。第一プルダウン抵抗Ｒ４の一端は、第一ダイオードＤ１の陰極に電気的に接続され、第一プルダウン抵抗Ｒ４の他端は接地される。
【００２４】
第二干渉防止ユニット４３は、第二ダイオードＤ２及び第二プルダウン抵抗Ｒ５を備える。第二ダイオードＤ２の陽極は、スイッチユニット４５に電気的に接続され、第二ダイオードＤ２の陰極は、第二ピンＰ２に電気的に接続される。第二プルダウン抵抗Ｒ５の一端は、第二ダイオードＤ２の陰極に電気的に接続され、第二プルダウン抵抗Ｒ５の他端は接地される。
【００２５】
スイッチユニット４５は、トランジスタＱ１、第一分圧抵抗Ｒ１、第二分圧抵抗Ｒ２及び第三分圧抵抗Ｒ３を備える。トランジスタＱ１のベース電極は、第二分圧抵抗Ｒ２を介して第一ダイオードＤ１の陽極及び第二ダイオードＤ２の陽極に電気的に接続され、トランジスタＱ１のエミッタ電極は、第一電圧源Ｖ１に電気的に接続され、トランジスタＱ１のコレクター電極は、オーディオ制御モジュール５０に電気的に接続される。第一分圧抵抗Ｒ１は、トランジスタＱ１のエミッタ電極とベース電極との間に電気的に接続される。第三分圧抵抗Ｒ３の一端は、第一電圧源Ｖ１に電気的に接続され、第三分圧抵抗Ｒ３の他端は、第一ダイオードＤ１の陰極に電気的に接続される。
【００２６】
オーディオ制御モジュール５０は、第一スイッチングダイオードＤ３、第二スイッチングダイオードＤ４、第一保護抵抗Ｒａ及び第二保護抵抗Ｒｂを備える。第一スイッチングダイオードＤ３の陽極は、トランジスタＱ１のコレクター電極に電気的に接続され、第一スイッチングダイオードＤ３の陰極は、第一ノードＮ１及び第一保護抵抗Ｒａを介して第二電圧源Ｖ２に電気的に接続される。第二スイッチングダイオードＤ４の陽極は、トランジスタＱ１のコレクター電極に電気的に接続され、第二スイッチングダイオードＤ４の陰極は、第二ノードＮ２及び第二保護抵抗Ｒｂを介して第二電圧源Ｖ２に電気的に接続される。
【００２７】
オーディオ出力モジュール６０は、第一オーディオ出力ユニット６１及び第二オーディオ出力ユニット６２を備える。第一オーディオ出力ユニット６１は第一ノードＮ１に電気的に接続され、第二オーディオ出力ユニット６２は第二ノードＮ２に電気的に接続される。本実施形態において、第一オーディオ出力ユニット６１はスピーカーであり、第二オーディオ出力ユニット６２はイヤホーンである。
【００２８】
電子装置１００を第一状態と第二状態との間で切り替える場合、第一ピンＰ１は第一制御信号を出力し、第二ピンＰ２は第二制御信号を出力する。この時、第一ダイオードＤ１は導通され、第二ダイオードＤ２は遮断される。トランジスタＱ１のエミッタ電極とベース電極との電圧差は導通電圧（即ち、０．７Ｖ）より大きいので、トランジスタＱ１は導通される。第一電圧源Ｖ１は、トランジスタＱ１を介して電圧を出力する。この時、第一スイッチングダイオードＤ３及び第二スイッチングダイオードＤ４は導通されて、第一ノードＮ１及び第二ノードＮ２における電圧は高くなり、第一オーディオ出力ユニット６１及び第二オーディオ出力ユニット６２は、オーディオの出力を停止する。所定の時間後、第一ピンＰ１が第二制御信号を出力することによって、第一ダイオードＤ１は遮断される。この時、トランジスタＱ１のエミッタ電極とベース電極との電圧差は導通電圧より小さいので、トランジスタＱ１は遮断されて、第一スイッチングダイオードＤ３及び第二スイッチングダイオードＤ４は遮断される。これにより、第一ノードＮ１及び第二ノードＮ２における電圧は低くなり、第一オーディオ出力ユニット６１及び第二オーディオ出力ユニット６２はオーディオを出力する。
【００２９】
電子装置１００がオーディオを出力し、且つオーディオ形式を切り替える場合、第一ピンＰ１は第二制御信号を出力し、第二ピンＰ２は第一制御信号を出力する。この時、第一ダイオードＤ１は遮断され、第二ダイオードＤ２は導通される。トランジスタＱ１のエミッタ電極とベース電極との電圧差は導通電圧より大きいので、トランジスタＱ１は導通される。第一電圧源Ｖ１は、トランジスタＱ１を介して電圧を出力する。この時、第一スイッチングダイオードＤ３及び第二スイッチングダイオードＤ４は導通されて、第一ノードＮ１及び第二ノードＮ２における電圧は高くなり、第一オーディオ出力ユニット６１及び第二オーディオ出力ユニット６２はオーディオの出力を停止する。所定の時間後、第二ピンＰ２が第二制御信号を出力することによって、第二ダイオードＤ２は遮断される。この時、トランジスタＱ１のエミッタ電極とベース電極との電圧差は導通電圧より小さいので、トランジスタＱ１は遮断されて、第一スイッチングダイオードＤ３及び第二スイッチングダイオードＤ４は遮断される。これにより、第一ノードＮ１及び第二ノードＮ２における電圧は低くなり、第一オーディオ出力ユニット６１及び第二オーディオ出力ユニット６２はオーディオを出力する。
【００３０】
以上、本発明の好適な実施形態について詳細に説明したが、本発明は前記実施形態に限定されるものではなく、本発明の範囲内で種々の変形又は修正が可能であり、該変形又は修正もまた本発明の特許請求の範囲内に含まれるものであることは、言うまでもない。
【符号の説明】
【００３１】
１００  電子装置
１０  電源モジュール
２０  制御モジュール
２１  制御チップ
３０  検出モジュール
３１  検出チップ
４０  スイッチモジュール
４１  第一干渉防止ユニット
４３  第二干渉防止ユニット
４５  スイッチユニット
５０  オーディオ制御モジュール
６０  オーディオ出力モジュール
６１  第一オーディオ出力ユニット
６２  第二オーディオ出力ユニット
Ｖ１  第一電圧源
Ｖ２  第二電圧源
Ｐ１  第一ピン
Ｐ２  第二ピン
Ｒ１  第一分圧抵抗
Ｒ２  第二分圧抵抗
Ｒ３  第三分圧抵抗
Ｒ４  第一プルダウン抵抗
Ｒ５  第一プルダウン抵抗
Ｒａ  第一保護抵抗
Ｒｂ  第二保護抵抗
Ｑ１  トランジスタ
Ｄ１  第一ダイオード
Ｄ２  第二ダイオード
Ｄ３  第一スイッチングダイオード
Ｄ４  第二スイッチングダイオード
Ｎ１  第一ノード
Ｎ２  第二ノード
【図１】
2014003603.tif 000003
【図２】
2014003603.tif 000004